(57)【特許請求の範囲】
【請求項１】
自動販売機の外扉に取り付けた扉ロック装置と協働して外扉を閉塞状態で施錠するシリンダ錠を備えた施錠装置において、
シリンダ錠の内部に、
シリンダ錠と対になる信号を受信する受信部と、
受信部がシリンダ錠と対になる信号を受信した場合にシリンダ錠を施錠した状態から解錠した状態に移行させるアクチュエータと
を備えたことを特徴とする施錠装置。
【請求項２】
自動販売機の外扉に取り付けた扉ロック装置と、扉ロック装置をロック操作またはアンロック操作するハンドルと、ハンドルを収容するハンドルケースと、ハンドルに内蔵し、ハンドルをハンドルケースに収容した状態で保持するシリンダ錠とを備えた施錠装置において、
シリンダ錠の内部に、
シリンダ錠と対になる信号を受信する受信部と、
受信部がシリンダ錠と対になる信号を受信した場合にハンドルを収容した状態からハンドルを突出した状態に移行させるアクチュエータと
を備えたことを特徴とする施錠装置。
【発明の詳細な説明】
【技術分野】
【０００１】
本発明は、施錠装置に関し、特に、自動販売機の外扉を閉塞状態で施錠する施錠装置に関するものである。
【背景技術】
【０００２】
自動販売機は、前面が開口した本体キャビネットと、本体キャビネットの前面を閉塞する外扉とを有し、外扉を閉塞した状態で利用に供している。この外扉には、施錠装置と、施錠装置に連繋して外扉を開閉する扉ロック装置とが取り付けてある。施錠装置には、シリンダ錠単体からなるものと、ハンドルにシリンダ錠を内蔵したものとがある。シリンダ錠単体からなる施錠装置には、操作カムが取り付けてあり、鍵操作に連動して操作カムをロック位置とアンロック位置とに選択的に回動させることが可能である。図７に示すように、ハンドルにシリンダ錠を内蔵した施錠装置１０１は、ハンドルケース１０２と、ハンドルケース１０２に収納可能なハンドル１０３と、ハンドル１０３と連動する内ケース１０４に取り付けた操作カム１０５とを有している。ハンドル１０３に内蔵したシリンダ錠１０６には、鍵操作に連動しハンドルをポップアップさせるカム１０７が取り付けてある。このため、鍵操作によってハンドル１０３をポップアップさせれば、ハンドル１０３を操作して操作カム１０５をロック位置とアンロック位置とに選択的に回動させることが可能である。なお、ポップアップしたハンドル１０３をロック位置に回動させた後に押し込めば、ハンドル１０３がハンドルケース１０２に収容され、操作カム１０５が施錠位置から回動不能となる（たとえば、特許文献１参照）。
【０００３】
図８に示すように、扉ロック装置２０１は、ロック爪２０２、ロックバー２０３および補助ロック機構２０４を有している。ロック爪２０２は、本体キャビネット１００の開口側縁部に固定したフック状の部材であり、開口側縁部から前方に延在した後に上方に延在している。ロックバー２０３は、断面をコの字に形成した部材であり、ロックバー２０３の開口部が外扉２００の背面と対向した状態で昇降するように取り付けてある。ロックバー２０３のロック爪２０２と対向する面にはロック爪２０２を係脱可能とするロック爪用角穴２０３ａが設けてあり、ロックバー２０３の側面には、上述した操作カム１０５の先端部分を収容する操作カム用角穴２０３ｂが設けてある。したがって、外扉２００を閉塞した状態で操作カム１０５が回動してロックバー２０３が下降すると、ロック爪２０２がロック爪用角穴２０３ａに係合し、外扉２００がロック状態となる。一方、外扉２００のロック状態において操作カム１０５が回動してロックバー２０３が上昇すると、ロック爪２０２がロック爪用角穴２０３ａから脱去可能となり、外扉２００が開放可能（アンロック状態）となる。補助ロック機構２０４は、ロックスライダ２０５と、ロックスライダ２０５と操作カム１０５との間を連繋するリンク２０６とを有している。また、ロックバー２０３の側面にロックスライダ用角穴２０３ｃが形成してある。ロックスライダ２０５は、水平方向に移動可能に設けてあり、ロックバー２０３が下降した場合にロックスライダ用角穴２０３ｃに挿抜可能となる。そして、操作カム１０５がロック位置へ回動すると、ロックバー２０３に形成したロックスライダ用角穴２０３ｃにロックスライダ２０５が挿入され、操作カム１０５がアンロック位置へ回動すると、ロックスライダ用角穴２０３ｃからロックスライダ２０５が抜去される（たとえば、特許文献２参照）。
【０００４】
【特許文献１】実開平６−２２４７６号公報
【特許文献２】特開２００２−３０８４２号公報
【発明の開示】
【発明が解決しようとする課題】
【０００５】
しかしながら、シリンダ錠の鍵穴に鍵を挿入する代わりに、マイナスドライバを無理矢理突っ込んでシリンダ錠が破壊されるという被害が後を絶たない。
【０００６】
本発明は、上記実情に鑑みて、マイナスドライバが鍵穴に無理矢理突っ込まれることによるシリンダ錠の破壊を防止できる施錠装置を提供することを目的とする。
【課題を解決するための手段】
【０００７】
上記の目的を達成するために、本発明の請求項１にかかる施錠装置は、自動販売機の外扉に取り付けた扉ロック装置と協働して外扉を閉塞状態で施錠するシリンダ錠を備えた施錠装置において、シリンダ錠の内部に、シリンダ錠と対になる信号を受信する受信部と、受信部がシリンダ錠と対になる信号を受信した場合にシリンダ錠を施錠した状態から解錠した状態に移行させるアクチュエータとを備えたことを特徴とする。
【０００８】
また、本発明の請求項２にかかる施錠装置は、自動販売機の外扉に取り付けた扉ロック装置と、扉ロック装置をロック操作またはアンロック操作するハンドルと、ハンドルを収容するハンドルケースと、ハンドルに内蔵し、ハンドルをハンドルケースに収容した状態で保持するシリンダ錠とを備えた施錠装置において、シリンダ錠の内部に、シリンダ錠と対になる信号を受信する受信部と、受信部がシリンダ錠と対になる信号を受信した場合にハンドルを収容した状態からハンドルを突出した状態に移行させるアクチュエータとを備えたことを特徴とする。
【発明の効果】
【０００９】
本発明の請求項１にかかる施錠装置は、受信部がシリンダ錠と対になる信号を受信した場合に、アクチュエータがシリンダ錠を施錠した状態から解錠した状態に移行させるので、シリンダ錠に鍵穴を設ける必要がない。したがって、マイナスドライバがシリンダ錠に無理矢理突っ込まれることによるシリンダ錠の破壊を防止できる。また、本発明の請求項１にかかる施錠装置は、従前の鍵穴を有するシリンダ錠と略同一の大きさに構成することが可能なので、従前の自動販売機のシリンダ錠と互換性を有し、従前の自動販売機にも適用可能である。
【００１０】
また、本発明の請求項２にかかる施錠装置は、受信部がシリンダ錠と対になる信号を受信した場合に、アクチュエータがハンドルを収容した状態からハンドルを突出した状態に移行させるので、シリンダ錠に鍵穴を設ける必要がない。したがって、マイナスドライバが無理矢理突っ込まれることによるシリンダ錠の破壊を防止できる。また、本発明の請求項２にかかる施錠装置は、鍵穴を有するシリンダ錠と略同一の大きさに構成することが可能なので、従前の自動販売機にも適用可能である。
【発明を実施するための最良の形態】
【００１１】
以下に添付図面を参照して、本発明にかかる施錠装置の好適な実施例を詳細に説明する。なお、この実施例によりこの発明が限定されるものではない。
【実施例１】
【００１２】
本実施例１にかかる施錠装置を適用した自動販売機は、図１に示すように、前面が開口した本体キャビネット１と、本体キャビネット１の前面開口を閉塞する外扉２とを有し、外扉２を閉塞した状態で利用に供している。この外扉２には、本実施例１にかかる施錠装置１０と、施錠装置１０に連繋して外扉２を開閉する扉ロック装置２０（図３参照）とが取り付けてある。
【００１３】
本実施例１で例示する施錠装置は、図２に示すように、シリンダ錠単体からなる施錠装置１０であって、外扉２に直接取り付けてある。シリンダ錠１０は、外筒１１と内筒１２とを有している。外筒１１は、外扉２に取り付ける部分であって、内筒１２を回動可能に収容してある。内筒１２は、施錠位置と解錠位置との間を回動可能であって、操作カム１３が取り付けてある。
【００１４】
シリンダ錠１０の内部には、受信部１４とアクチュエータ１５とを備えている。受信部１４はリモコンあるいはＩＣカード等の外部装置から送信されたシリンダ錠１０と対になる信号を受信する部分であり、外扉２の外表面に表出するように配設してある。なお、リモコン等の外部装置に赤外線の送信が可能なものを適用した場合には、受信部１４に赤外線の受信が可能なものを適用し、ＩＣカード等のように、外部装置に電磁波の送信が可能なものを適用した場合には、受信部１４に電磁波の受信が可能なものを適用する。
【００１５】
また、受信部１４はシリンダ錠１０と対になる信号が施錠信号であるか、解錠信号であるか識別可能である。たとえば、内筒１２が解錠位置に位置する場合に当該信号を施錠信号と識別し、施錠位置に位置する場合に当該信号を解錠信号と識別することにする。なお、当該信号の受信時間が予め定めた時間に満たない場合に施錠信号と識別し、予め定めた時間を越えた場合に解錠信号と識別することにしてもよい。また、外部装置が、シリンダ錠１０と対になる信号とともに、予め定めた施錠信号、あるいは解錠信号を送信することにしてもよい。
【００１６】
アクチュエータ１５は、受信部１４が受信したシリンダ錠１０と対になる信号が施錠信号であると識別した場合に内筒１２を解錠位置から施錠位置に回動させ、解錠信号であると識別した場合に内筒１２を施錠位置から解錠位置に回動させるものであり、自動販売機の外部から操作不能となるように配設してある。アクチュエータ１５は、たとえば、モータあるいはソレノイド等の各種のアクチュエータが適用可能である。
【００１７】
操作カム１３には、図３−２および図４−２に示すように、取付穴１３ａと作用部１３ｂとが形成してある。取付穴１３ａは操作カム１３を内筒１２に取り付けるために設けた取付穴であり、作用部１３ｂは、扉ロック装置２０と連繋させるために、取付穴１３ａから径外方向に延在した部分である。具体的には、作用部１３ｂは、内筒１２が施錠位置にある場合に水平方向に延在し（図３−２）、内筒１２が解錠位置にある場合に斜め上方に延在する（図４−２）ように形成してある。
【００１８】
扉ロック装置２０は、図３および図４に示すように、ロック爪２１、ロックバー２２および補助ロック機構３０を有している。ロック爪２１は、本体キャビネット１の開口側縁部に固定したフック状の部材であり、開口側縁部から前方に延在した後に上方に延在している。ロックバー２２は、断面をコの字状に形成した部材であり、ロックバー２２の開口が本体キャビネット１と対向した状態で昇降するように取り付けてある。ロックバー２２のロック爪と対向する面（図３−２および図４−２において正面）には、ロック爪２１を係脱可能とするロック爪用角穴２２ａが設けてあり、ロックバー２２の側面（図３−２および図４−２において右側面）には、上述した操作カム１３の作用部１３ｂを収容する操作カム用角穴２２ｂが設けてある。したがって、外扉２を閉塞した状態で操作カム１３がロック位置に回動してロックバー２２を下降させると、図３−２に示すように、ロック爪２１がロック爪用角穴２２ａに係合し、外扉２がロック状態となる。一方、外扉２のロック状態において操作カム１３がアンロック位置に回動してロックバー２２を上昇させると、ロック爪２１がロック爪用角穴２２ａから脱去可能となり、外扉２が開放可能（アンロック状態）となる。
【００１９】
補助ロック機構３０は、ロックスライダ３１と、ロックスライダ３１と操作カム１３との間を連繋するリンク３２とを有している。また、ロックバー２２の側面、すなわち操作カム用角穴２２ｂを形成した側面と同一側面にロックスライダ用角穴２２ｃが形成してある。ロックスライダ３１は、スライダブラケット３３により水平方向に移動可能に設けてあり、ロックバー２２が下降した場合にロックスライダ用角穴２２ｃに挿抜可能となる。そして、操作カム１３がロック位置へ回動すると、ロックスライダ用角穴２２ｃにロックスライダ３１が挿入され、操作カム１３がアンロック位置へ回動すると、ロックスライダ用角穴２２ｃからロックスライダ３１が抜去される。
【００２０】
上述した本実施例１にかかる施錠装置によれば、リモコン等の外部装置から受信部１４がシリンダ錠１０と対になる信号を受信した場合に、当該信号が施錠信号であるか、解錠信号であるか識別する。
【００２１】
当該信号が解錠信号の場合には、アクチュエータ１５が操作カム１３をロック位置からアンロック位置に回動して、ロックスライダ用角穴２２ｃからロックスライダ３１を抜去した後、ロックバー２２を上昇させる。すると、図４−２に示すように、ロック爪２１はロック爪用角穴２２ａから脱去可能となり、外扉２は開放可能となる（アンロック状態）。
【００２２】
一方、当該信号が施錠信号の場合には、アクチュエータ１５が操作カム１３をアンロック位置からロック位置に回動して、ロックバー２２を下降させる。すると、図３−２に示すように、ロック爪２１とロック爪用角穴２２ａとが係合し、外扉２がロック状態となる。その後、ロックスライダ３１がロックスライダ用角穴２２ｃに挿入され、ロックバー２２の上昇を防止する。
【００２３】
上述した本実施例１にかかる施錠装置によれば、受信部１４がシリンダ錠１０と対になる信号を受信し、当該信号を解錠信号と識別した場合には、アクチュエータ１５がシリンダ錠１０を施錠した状態から解錠した状態に移行させるので、シリンダ錠に鍵穴を設ける必要がない。したがって、マイナスドライバがシリンダ錠に無理矢理突っ込まれることによるシリンダ錠１０の破壊を防止できる。
【００２４】
また、本実施例１にかかる施錠装置１０は、鍵穴を有するシリンダ錠と略同一の大きさで構成することが可能なので、従前の自動販売機のシリンダ錠と互換性を有する。したがって、本実施例１にかかる施錠装置１０を従前の自動販売機にも適用可能である。
【実施例２】
【００２５】
本実施例２にかかる施錠装置を適用した自動販売機は、図５に示すように、実施例１にかかる施錠装置を適用した自動販売機と同様、前面が開口した本体キャビネット１と、本体キャビネット１の前面開口を閉塞する外扉２とを有し、外扉２を閉塞した状態で利用に供している。この外扉には、本実施例２にかかる施錠装置４０と、施錠装置４０に連繋して外扉を開閉する扉ロック装置が取り付けてある。なお、扉ロック装置は、上述した扉ロック装置と異なるところはないので、説明を省略する。
【００２６】
本実施例で例示する施錠装置４０は、図６に示すように、ハンドル４１にシリンダ錠４２を内蔵した施錠装置であって、ハンドル４１、内ケース４３およびハンドルケース４４を有している。ハンドル４１は、基部４１ａと、基部４１ａから径外方向に延在した把持部４１ｂとを有している。基部４１ａは、前面を開放し、後部を閉塞した有底の円筒形状を有し、基部奥側の側面には開口４１ａ１が形成してある。基部４１ａには、シリンダ錠４２と、カム４５とが収容してある。シリンダ錠４２は、外筒４６と内筒４７とを有し、外筒４６は、基部４１ａに嵌挿した状態で取り付けられる部分であって、内筒４７を回動可能に収容してある。内筒４７の端部には、偏心した軸４７ａが形成してある。
【００２７】
また、シリンダ錠４２の内部には、受信部４８とアクチュエータ４９とを備えている。受信部４８は、リモコンあるいはＩＣカード等の外部装置から送信されたシリンダ錠４２と対になる信号を受信する部分であり、ハンドル４１の外表面に表出するように取り付けてある。なお、リモコン等の外部装置に赤外線の送信が可能なものを適用した場合には、受信部４８に赤外線の受信が可能なものを適用し、ＩＣカード等のように、外部装置に電磁波の送信が可能なものを適用した場合には、受信部４８に電磁波の受信が可能なものを適用する。
【００２８】
アクチュエータ４９は、受信部４８がシリンダ錠４２と対になる信号を受信した場合に、内筒４７を施錠位置から解錠位置に回動させるものであり、ハンドル４１の外部から操作不能となるように配設してある。アクチュエータ４９は、たとえば、モータあるいはソレノイド等の各種のアクチュエータが適用可能である。
【００２９】
カム４５は、シリンダ錠４２が施錠状態から解錠状態に移行した場合に、ハンドルケース４４にハンドル４１を収容した状態から突出した状態（ポップアップした状態）に移行させるためのもので、内筒４７の端部に形成した軸を収容する凹部４５ａが形成してある。カム４５は、シリンダ錠が施錠状態にある場合には上述した開口４１ａ１から大きく突出し、解錠状態に移行した場合に突出量が減少するように形成してある。
【００３０】
内ケース４３は、有底の円筒形状を有し、内ケース４３に収容したバネ５０により、突出する方向に付勢した状態でハンドル４１が収容してある。また、内ケース４３の側面には、上述したカム４５を突出可能とする溝４３ａが形成してある。そして、シリンダ錠４２が施錠状態にある場合に、内ケース４３の外周面からカム４５が突出し、解錠状態に移行した場合に内ケース４３の外周面から沈降する。内ケース４３の端部には、取付ネジ部４３ｂが形成してある。
【００３１】
このように、ハンドル４１の基部４１ａを収容した内ケースは、取付ネジ部４３ｂが貫通するように、ハンドルケース４４に収容してある。取付ネジ部４３ｂには、操作カム５１が取り付けてあり、操作カム５１は内ケース４３と一体となって回動可能となっている。
【００３２】
ハンドルケース４４は、ハンドル４１の基部４１ａを収容した内ケース４３とハンドル４１の把持部４１ｂが収容可能であって、内ケース４３を収容する円筒形状を有する内ケース収容部４４ａと、把持部４１ｂを収容する把持部収容部４４ｂとを有している。また、内ケース収容部４４ａの側面には、内ケース４３の外周面から突出したカム４５と係合可能な凹部４４ａ１が形成してある。そして、シリンダ錠４２が施錠状態にある場合に、凹部４４ａ１は内ケース４３の外周面から突出したカム４５と係合し、シリンダ錠４２が解錠状態に移行した場合に内ケース４３の外周面からカム４５が沈降して凹部４４ａ１からカム４５が脱去する。
【００３３】
上述した本実施例２にかかる施錠装置は、図６−１に示す施錠状態において、受信部４８がリモコン等の外部装置からシリンダ錠４２と対になる信号を受信すると、アクチュエータ４９が作動して、シリンダ錠４２を施錠位置から解錠位置に回動する。
【００３４】
すると、内ケース４３を貫通しハンドルケース４４の凹部４４ａ１と係合していたカム４５が回動し、ハンドルケース４４の凹部４４ａ１から脱去する。そして、図６−２に示すように、ハンドル４１が突出し、ハンドル４１が操作可能となる。
【００３５】
ここで、ハンドル４１を回動操作すると、内ケース４３と一体化した操作カム５１が回動し、扉ロック装置はロック状態からアンロック状態に移行し、外扉２が開放可能となる。
【００３６】
一方、ハンドル４１がロック位置に位置し、ハンドル４１が突出した状態にある場合には、ハンドル４１を押し込み操作すると、アクチュエータ４９が解錠位置から施錠位置に回動し、カム４５は内ケース４３を貫通し、ハンドルケース４４の凹部４４ａ１に係合することになる。このため、ハンドル４１はハンドルケース４４に収容した状態を持続することになる。この結果、ハンドル４１は操作不能となり、扉ロック装置はロック状態となる。
【００３７】
上述した本実施例２にかかる施錠装置４０によれば、受信部４８がシリンダ錠４２と対になる信号を受信した場合に、アクチュエータ４９がハンドル４１を収容した状態からハンドル４１を突出した状態に移行させるので、シリンダ錠４２に鍵穴を設ける必要がない。したがって、マイナスドライバが無理矢理突っ込まれることによるシリンダ錠４２の破壊を防止できる。
【００３８】
また、本実施例２にかかる施錠装置は、鍵穴を有するシリンダ錠と略同一の大きさで構成することが可能なので、従前の自動販売機のシリンダ錠と互換性を有する。したがって、本実施例２にかかる施錠装置４０を従前の自動販売機にも適用可能である。
【産業上の利用可能性】
【００３９】
以上のように、本発明にかかる施錠装置は、自動販売機の外扉を閉塞状態で施錠する施錠装置に有用である。
【図面の簡単な説明】
【００４０】
【図１】本発明の実施例１にかかる施錠装置を適用した自動販売機の正面図である。
【図２】本発明の実施例１にかかる施錠装置を示す縦断面図である。
【図３−１】施錠した施錠装置と連繋した扉ロック装置を示す側断面図である。
【図３−２】施錠した施錠装置と連繋した扉ロック装置を示す背面図である。
【図４−１】解錠した施錠装置と連繋した扉ロック装置を示す側断面図である。
【図４−２】解錠した施錠装置と連繋した扉ロック装置を示す背面図である。
【図５】本発明の実施例２にかかる施錠装置を適用した自動販売機の正面図である。
【図６−１】施錠した状態を示す施錠装置の縦断面図である。
【図６−２】解錠した状態を示す施錠装置の縦断面図である。
【図７】ハンドルにシリンダ錠を内蔵した施錠装置を示す断面図である。
【図８−１】施錠した施錠装置と連繋した扉ロック装置を示す側断面図である。
【図８−２】施錠した施錠装置と連繋した扉ロック装置を示す背面図である。
【符号の説明】
【００４１】
２    外扉
１０    施錠装置（シリンダ錠）
１１    外筒
１２    内筒
１３    操作カム
１４    受信部
１５    アクチュエータ
２０    扉ロック装置
４０    施錠装置
４１    ハンドル
４１ａ    基部
４１ａ１    開口
４１ｂ    把持部
４２    シリンダ錠
４３    内ケース
４３ａ    溝
４３ｂ    取付ネジ部
４４    ハンドルケース
４４ａ    内ケース収容部
４４ａ１    凹部
４４ｂ    把持部収容部
４５    カム
４５ａ    凹部
４６    外筒
４７    内筒
４７ａ    取付軸
４８    受信部
４９    アクチュエータ
５０    バネ
５１    操作カム
【図１】
0004600229.tif 000002
【図２】
0004600229.tif 000003
【図３−１】
0004600229.tif 000004
【図３−２】
0004600229.tif 000005
【図４−１】
0004600229.tif 000006
【図４−２】
0004600229.tif 000007
【図５】
0004600229.tif 000008
【図６−１】
0004600229.tif 000009
【図６−２】
0004600229.tif 000010
【図７】
0004600229.tif 000011
【図８−１】
0004600229.tif 000012
【図８−２】
0004600229.tif 000013